【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
ロジウム合金を含む電極であって、前記ロジウム合金が、
ｉ）ロジウム、及び
ｉｉ）５から４５重量％のニッケル
を含み、前記合金が、前記合金の任意の他の個々の元素に比べて、より多くの量のロジウムを含む、電極。
【請求項２】
前記ロジウム合金が、
ｉｉｉ）イットリウム、ジルコニウム、及びサマリウムからなる群から選択される1つ又は複数の元素をさらに含む、請求項１に記載の電極。
【請求項３】
前記ロジウム合金が、
ａ）約５０重量％以上のロジウム、
ｂ）各々最大で約４９．９９重量％の、イリジウム、白金、及びパラジウムからなる群から選択される任意の1つ又は複数の元素、
ｃ）最大で約３５重量％のルテニウム、
ｄ）５から４５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）任意選択的に、各々約０．０１から約１．００重量％の、イットリウム、ジルコニウム、及びサマリウムからなる群から選択される任意の1つ又は複数の元素
を含み、前記ロジウム合金の総重量％が１００重量％となる、請求項１に記載の電極。
【請求項４】
前記ロジウム合金が、
ａ）約７５重量％以上のロジウム、
ｂ）各々０重量％の、イリジウム、白金、及びパラジウムからなる群から選択される任意の1つ又は複数の元素、
ｃ）０重量％のルテニウム、
ｄ）５から約２５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）任意選択的に、各々約０．０１から約１．００重量％の、イットリウム、ジルコニウム、及びサマリウムからなる群から選択される任意の1つ又は複数の元素
を含み、前記ロジウム合金の総重量％が１００重量％となる、請求項１に記載の電極。
【請求項５】
前記ロジウム合金が、
ａ）約５０から約９５重量％以上のロジウム、
ｂ）各々最大で約２５重量％の、イリジウム、白金、及びパラジウムからなる群から選択される任意の1つ又は複数の元素、
ｃ）最大で約３５重量％のルテニウム、
ｄ）５から４５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）任意選択的に、各々約０．０１から約０．５０重量％の、イットリウム、ジルコニウム、及びサマリウムからなる群から選択される任意の1つ又は複数の元素
を含み、前記ロジウム合金が、イリジウム、白金、パラジウム、又はルテニウムのうちの少なくとも1つを含み、且つ
前記ロジウム合金の総重量％が１００重量％となる、請求項１に記載の電極。
【請求項６】
前記ロジウム合金が、
2017527695.tif 000001
からなる群より選択される、請求項１に記載の電極。
【請求項７】
請求項１から６のいずれか一項に記載の電極を含む点火プラグ。
【請求項８】
電極又は点火プラグにおけるロジウム合金の使用であって、前記ロジウム合金が、
ｉ）ロジウム、及び
ｉｉ）５から４５重量％のニッケル
を含み、前記合金の任意の他の個々の元素に比べて、より多くの量のロジウムを含む、使用。
【請求項９】
前記ロジウム合金が、
ｉｉｉ）イットリウム、ジルコニウム、及びサマリウムからなる群から選択される１つ又は複数の元素をさらに含む、請求項８に記載の使用。
【請求項１０】
前記ロジウム合金が、
ａ）約５０重量％以上のロジウム、
ｂ）各々最大で約４９．９９重量％の、イリジウム、白金、及びパラジウムからなる群から選択される任意の１つ又は複数の元素、
ｃ）最大で約３５重量％のルテニウム、
ｄ）５から４５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）任意選択的に、各々約０．０１から約１．００重量％の、イットリウム、ジルコニウム、及びサマリウムからなる群から選択される任意の1つ又は複数の元素
を含み、前記ロジウム合金の総重量％が１００重量％となる、請求項８に記載の使用。
【請求項１１】
前記ロジウム合金が、
ａ）約７５重量％以上のロジウム、
ｂ）各々０重量％の、イリジウム、白金、及びパラジウムからなる群から選択される任意の１つ又は複数の元素、
ｃ）０重量％のルテニウム、
ｄ）５から約２５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）任意選択的に、各々約０．０１から約１．００重量％の、イットリウム、ジルコニウム、及びサマリウムからなる群から選択される任意の1つ又は複数の元素
を含み、前記ロジウム合金の総重量％が１００重量％となる、請求項８に記載の使用。
【請求項１２】
前記ロジウム合金が、
ａ）約５０から約９５重量％以上のロジウム、
ｂ）各々最大で約２５重量％の、イリジウム、白金、及びパラジウムからなる群から選択される任意の１つ又は複数の元素、
ｃ）最大で約３５重量％のルテニウム、
ｄ）５から４５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）任意選択的に、各々約０．０１から約０．５０重量％の、イットリウム、ジルコニウム、及びサマリウムからなる群から選択される任意の1つ又は複数の元素
を含み、前記ロジウム合金が、イリジウム、白金、パラジウム、又はルテニウムのうちの少なくとも1つを含み、且つ
前記ロジウム合金の総重量％が１００重量％となる、請求項８に記載の使用。
【請求項１３】
前記ロジウム合金が、
2017527695.tif 000002
からなる群より選択される、請求項８に記載の使用。
【請求項１４】
ロジウム合金であって、
ｉ）ロジウム、
ｉｉ）ニッケル、並びに
ｉｉｉ）イットリウム、ジルコニウム、及びサマリウムからなる群から選択される1つ又は複数の元素
を含み、前記合金の任意の他の個々の元素に比べて、より多くの量のロジウムを含む、ロジウム合金。
【請求項１５】
約５から約４５重量％のニッケルを含む、請求項１４に記載のロジウム合金。
【請求項１６】
前記合金が、
ａ）約５０重量％以上のロジウム、
ｂ）各々最大で約４９．９９重量％の、イリジウム、白金、及びパラジウムからなる群から選択される任意の１つ又は複数の元素、
ｃ）最大で約３５重量％のルテニウム、
ｄ）約０．０１から約４９．９９重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）各々約０．０１から約１．００重量％の、イットリウム、ジルコニウム、及びサマリウムからなる群から選択される任意の1つ又は複数の元素
を含み、前記ロジウム合金の総重量％が１００重量％となる、請求項１４に記載のロジウム合金。
【請求項１７】
前記合金が、
ａ）約７５重量％以上のロジウム、
ｂ）各々０重量％の、イリジウム、白金、及びパラジウムからなる群から選択される任意の１つ又は複数の元素、
ｃ）０重量％のルテニウム、
ｄ）約０．０１から約２５重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）各々約０．０１から約１．００重量％の、イットリウム、ジルコニウム、及びサマリウムからなる群から選択される任意の1つ又は複数の元素
を含み、前記ロジウム合金の総重量％が１００重量％となる、請求項１４に記載のロジウム合金。
【請求項１８】
前記合金が、
ａ）約５０から約９５重量％以上のロジウム、
ｂ）各々最大で約２５重量％の、イリジウム、白金、及びパラジウムからなる群から選択される任意の１つ又は複数の元素、
ｃ）最大で約３５重量％のルテニウム、
ｄ）約０．０１から約４９．９９重量％のニッケル、
ｅ）各々最大で約５重量％の、ニオブ、タンタル、チタン、クロム、モリブデン、コバルト、レニウム、バナジウム、アルミニウム、ハフニウム、及びタングステンからなる群から選択される任意の1つ又は複数の元素、並びに
ｆ）各々約０．０１から約０．５０重量％の、イットリウム、ジルコニウム、及びサマリウムからなる群から選択される任意の1つ又は複数の元素
を含み、前記ロジウム合金が、イリジウム、白金、パラジウム、又はルテニウムのうちの少なくとも1つを含み、且つ
前記ロジウム合金の総重量％が１００重量％となる、請求項１４に記載のロジウム合金。
【請求項１９】
前記合金が、
2017527695.tif 000003
からなる群より選択される、請求項１４に記載のロジウム合金。